(57)【要約】      （修正有）【課題】人身安全防護上さらに機能を充実させ、周辺環境の安全を測定し、緊急時に助けを求め、所在位置の測位を行うことの可能な高い実用性を有する安全防護装置を提供する。【解決手段】互いに組み合わさる第一カバー２と第二カバー３とを備える。第一カバー２及び第二カバー３内には、プリント基板１及び物体距離測定マジックアイ１１等を有することで、使用者の周囲に人が接近していないかどうかを測定して、信号がプリント基板１を経て処理された後、音声方式または振動やブザーによって使用者に警告することにより、全方位的な機能を有して優れた実用性を有する。【選択図】図２
0003155439.tif 000002
【実用新案登録請求の範囲】
【請求項１】
第一カバーと、
前記第一カバーと互いに蓋をし合うように固定され、その内部に収納空間を形成する第二カバーと、
前記収納空間に収納され、前記第一カバーと前記第二カバー内の収納空間に設置されるプリント基板と、
前記プリント基板が必要とする電力を供給する電源供給セットであって、前記電源供給セットの開閉を行う電源スイッチを有する電源供給セットと、を備え、
前記プリント基板は、マイクロプロセッサ、信号を発生させて前記マイクロプロセッサに送って処理する物体距離測定マジックアイ、前記マイクロプロセッサの信号を受信するＩＣ、前記ＩＣの制御により警告音を発するブザー、及び、前記ＩＣの制御により警告振動を発するバイブレーターを有することを特徴する携帯用安全防護装置。
【請求項２】
さらに、ブルートゥースイヤホン及び子機を備え、前記子機は信号発信受信装置を有し、前記物体距離測定マジックアイが信号を前記信号発信受信装置に転送することで、前記信号発信受信装置が前記物体距離測定マジックアイの信号を受信し、前記マイクロプロセッサに転送して処理することで、前記ブザー及び前記バイブレーターを制御して音と振動を出して使用者に警告をすることを特徴とする請求項１に記載の携帯用安全防護装置。
【請求項３】
さらに、前記プリント基板は、緊急ボタンを有し、前記緊急ボタンを押すことにより、信号が前記マイクロプロセッサに送られ、前記マイクロプロセッサの処理を経て、信号発信受信装置を通して信号が警察ネットワーク等の公共安全システムに発射され、
さらに、ＧＰＳを有し、前記ＧＰＳによって、信号が絶えず発射されることにより、衛星がその位置を確認することを特徴とする請求項１に記載の携帯用安全防護装置。
【請求項４】
前記第一カバーと前記第二カバーは、スライド形式で設置され、前記第二カバーが前記第一カバーにスライド式に設置されて、前記第二カバーの前記第一カバー側の一側面にストッパーが設置され、前記第一カバーが前記第二カバーをスライドする際、前記ストッパーが前記第一カバーが滑り出るのを阻止することを特徴とする請求項１に記載の携帯用安全防護装置。
【請求項５】
前記第二カバーの、前記第一カバー側ではない一側面に固定板が軸接続で設置され、ブザーが前記固定板と前記第二カバーの間に設置されて、前記第二カバーによって前記第一カバーからスライドさせることで、前記ブザーの開閉を制御することを特徴とする請求項４に記載の携帯用安全防護装置。
【請求項６】
前記ＩＣは、ボイスチップであることを特徴とする請求項１に記載の携帯用安全防護装置。
【考案の詳細な説明】
【技術分野】
【０００１】
本考案は、安全防護装置に関し、特に、随時携帯ことの可能な多機能防護機能を有する携帯用安全防護装置に関する。
【背景技術】
【０００２】
治安の悪化に伴い、大小様々な事件が後を絶たない。特に、女性が窃盗犯に襲われたり、性犯罪に巻き込まれたりする事件が度々発生している。この種類の事件の発生率は特に深夜が多く、夜遅く帰宅する女性にとって、夜道の歩行は危険をはらんでいる。そこで、近年、バッグに護身用のスプレーを携帯して、緊急時にスプレーして犯人がひるんだ隙に逃げることで危険を回避する方法を選択する女性も少なくない。しかしながら、これらのスプレーは、犯人がすでに身体に接触している場合、被害者が落ち着きを失いやすい上、バッグから出す余裕がない緊急状態が考えられ、うまく機能しないことが多い。さらに、両親に連れられた子供が、公園やデパート等の人ごみで、迷子になったり、見失ったりした場合や、誘拐の可能性がある場合、一刻も早く探さなければ大きな事故や事件に発展する可能性もある。
【０００３】
また、最近は、いわゆる「共同防衛型セキュリティーシステム」等の独居老人のために設計された安全防護装置があるものの、使用者の所在位置における測位にのみ使用可能である。このタイプの装置は、利用使用者がいつでも携帯できる発信装置が電波信号を発信し続け、その直結する機関に取り付けられた受信装置が信号を受信して、コンピューターを介して使用者の所在位置及び活動動線を判断する。実際に使用テストされた後、このタイプの安全防護装置は、独居老人が迷子になるのを防ぐという一部の問題は解決するものの、その活動範囲がシステムの区域を超えた場合、これらの安全防護装置は機能しないことがわかっている。さらに、これらの安全防護装置は、周辺環境を測定する機能を持たないため、使用者に周辺の状況に注意を促す機能は持たない。したがって、その安全防護の効果は理想的だとは言えない。
【考案の概要】
【考案が解決しようとする課題】
【０００４】
したがって、本考案は、人身安全防護上さらに機能を充実させて、周辺環境の安全を測定して、緊急時に助けを求めたり、所在位置の測位を行ったりできる高い実用性を有する安全防護装置を提供することを目的とする。
【課題を解決するための手段】
【０００５】
上記課題を解決するために、本考案は、防護安全効果を高め、使用上の便利さを向上させて、人身の安全防護効果を高めた安全防護装置を提供することを目的とする。
上記目的を達成するために、本考案の安全防護装置は、第一カバー及び第二カバーを備え、第二カバーと第一カバーは互いに蓋をするように固定される。さらに、その内側には収納空間が形成されて、収納空間内には、プリント基板が設置される。プリント基板は、マイクロプロセッサ、物体距離測定マジックアイ、ＩＣを備える。さらに、物体距離測定マジックアイは信号を発生させて、マイクロプロセッサに送る。ＩＣはマイクロプロセッサの信号を受信する。また、ブザー及びバイブレーターが設置される。ブザー及びバイブレーターはプリント基板に設置される。さらに、ＩＣの制御により音声及び振動が発生されて警告がなされる。また、電源供給セットが設置され、電源供給セットはプリント基板が必要な電力を提供する。電源供給セットは電気的に接続される電源スイッチが設置され、電源スイッチは電源供給セットのＯＮまたはＯＦＦをコントロールする。
【考案の効果】
【０００６】
本考案の安全防護装置は、周辺環境を測定する機能を有し、その内側に設置された物体距離測定マジックアイが人が接近しているかどうかを測定し、その接近距離が所定の距離になった時、音声やブザーまたは振動等によって使用者に注意を促すことで、使用者に応変する時間を提供して、安全を確保する効果を有する。
また、子機と母機の連結機能を有し、子機と母機を組み合わせて使用することで、それぞれを父母と子供が携帯して、内側に設置された物体距離測定マジックアイを利用して、両者の距離を測定することにより、両者が所定の距離を超えた時、使用者に注意を促して、子供が迷子になるのを回避する効果を有する。
さらに、緊急時に助けを求める機能を有し、その内側に設置された緊急ボタンを利用して、使用者が緊急の危険にさらされた時、ボタンが公共の安全システムにつながっていることで、警察等の機関に助けを求める効果を有する。
またさらに、ＧＰＳ機能を有し、その内部に設置されたＧＰＳシステムが、使用者の所在位置を確認して、失踪した子供の捜索、または、緊急時の救援に対して、最短時間内に使用者の所在地に到着して、事件や事故の発生を未然に防ぐ効果を有する。
【図面の簡単な説明】
【０００７】
【図１】本考案の一実施形態における回路のブロック図である。
【図２】本考案の一実施形態における構造を示した分解図である。
【図３】本考案の一実施形態における立体外観図である。
【図４】本考案の一実施形態における周辺環境測定機能を実施した場合の流れを示すフローチャートである。
【図５】本考案の一実施形態における子機と母機がつながっている機能を実施した場合の流れを示したフローチャートである。
【図６】本考案の一実施形態における緊急時に助けを求める機能を実施した場合の流れを示したフローチャートである。
【図７】本考案の一実施形態におけるＧＰＳ機能を実施した場合の流れを示したフローチャートである。
【図８】本考案の他の実施形態の立体概観図である。
【図９】図８の構造分解図である。
【図１０】図８のブザーをＯＮにした場合の使用立体外観図である。
【図１１】図８の使用状態を示した図である。
【考案を実施するための形態】
【０００８】
以下、本考案による携帯用安全防護装置を図面に基づいて説明する。
（一実施形態）
まず、図１、図２、図３を参照しながら、本考案の一実施形態における携帯用安全防護装置について説明する。
本考案の安全防護装置は、第一カバー２及び第二カバー３を備える。第二カバー３と第一カバー２は相互に蓋をするように固定されて、その内部には収納空間図示はされないが形成される。
収納空間にはプリント基板１が収納される。プリント基板１は第一カバー２と第二カバー３内の収納空間に設置され、さらに、プリント基板１は、マイクロプロセッサ１０、物体距離測定マジックアイ１１、ＩＣ１３を備える。
【０００９】
物体距離測定マジックアイ１１が信号を発生させることで、マイクロプロセッサ１０に送られて処理される。物体距離測定マジックアイ１１は第二カバー３の表面に露出する。
ＩＣ１３はマイクロプロセッサ１０の信号を受信し、ＩＣ１３はボイスチップ（  ｖｏＩＣｅ  ＩＣ）である。
また、ブザー１５及びバイブレーター１６が設置される。ブザー１５はプリント基板１に設置されて、ＩＣ１３の制御により音が発生されて警告を発する。
【００１０】
バイブレーター１６は、プリント基板１に設置され、ＩＣ１３の制御により振動を発生させて警告を発する。
また、電源供給セット２０が設置されて、プリント基板１が必要とする電力を供給する。電源供給セット２０は電気的に接続される電源スイッチ２１を有する。電源スイッチ２１は電源供給セット２０の開閉を行う。電源スイッチ２１の表面は第一カバー２に露出する。電源供給セット２０は小型リチウム電池であり、充電ソケットを有する。上述の構造により、本考案の携帯用安全防護装置が形成される。
【００１１】
また、本考案の携帯用安全防護装置の使用効果を高めるために、ブルートゥースイヤホン１４を組み合わせて使用することも可能である。ブルートゥースイヤホン１４が子機４を有して、子機４が信号発信受信装置５を有することで、物体距離測定マジックアイ１１が信号発信受信装置５に信号を転送し、信号発信受信装置５が物体距離測定マジックアイ１１の信号を受信して、マイクロプロセッサ１０に送って処理される。さらに、ブザー１５及びバイブレーター１６を制御して、音及び振動を発生させて使用者に警告を発する。さらに、プリント基板１は緊急ボタン３０が設置されて、緊急ボタン３０は第一カバー２の表面に露出する。緊急ボタン３０が押されると、信号がマイクロプロセッサ１０に送られ、マイクロプロセッサ１０の処理を経た後、信号発信受信装置１２を通して、警察のセキュリティーシステム等の公共の安全システムに信号が発射される。さらに、ＧＰＳ４０が設置され、ＧＰＳ４０を介して、信号が絶えず発射されることで、衛星がその位置を確認する。この構成により、本考案の安全防護装置回路が基本機能構造を形成する。
【００１２】
使用時には、本考案の携帯用安全防護装置を使用者の身体に取り付け、緊急ボタン３０が第一カバー２の一側に露出することで、使用者が押す操作が行いやすい。そして、電源スイッチ２１もまた第一カバー２の一側に設置されることで、使用者が電源を切り替えるのに便利である。また、物体距離測定マジックアイ１１が外面に露出することで、物体距離測定マジックアイ１１が使用者に何者かが接近していないかを測定し、さらに、ブルートゥース・イヤホン１４が分離式であることから、使用者の耳にかけることができる。さらに、子機４が設置され、子機４内部には、信号発信受信装置５が設置されて、信号を発信し、本考案の安全防護装置が所定距離内においてセンサリングの結果を受信することで、本考案の安全防護装置の完全な構造が構成される。
【００１３】
上述の構造から構成される本考案の携帯用安全防護装置は、以下の効果を達成する。
（１）周辺環境測定機能を有する。図４のフローチャートを参照しながら説明する。これは主に深夜に帰宅する使用者に運用される。実施の際は、本考案の安全防護装置を身体に取り付けて、電源スイッチをＯＮにする。その内部に設置されている物体距離測定マジックアイが使用者の周辺（特に後方）に不明または疑わしい人物が接近していないかを測定し、疑わしき人物が一定距離まで使用者に接近した場合、信号発信受信装置が信号を発信してマイクロプロセッサに送り、マイクロプロセッサが受信して処理された後、速やかに信号がＩＣに送られ、さらに、ボイスＩＣを介してブルートゥースイヤホンを利用して使用者に告げるか、ブザーを鳴らすか、振動を発して警告することにより、使用者にまたは疑わしい人物の接近を知らせて、使用者が被害に遭う前に先に防備して、非難するに充分な時間を確保することで、夜間の帰宅の安全を図る。
【００１４】
（２）子機と母機をつなぐ機能を有する。図５のフローチャートを参照しながら説明する。この機能は、子機と母機を組み合わせて使用する。母機（すなわち安全防護装置）を父母が携帯し、子機を子供の身体に取り付けて、同時に子機、母機の電源をＯＮにする。子機内部の信号発信受信装置が信号を発信し続け、母機内に設置された物体距離測定マジックアイが両者の距離を測定して、両者間の距離が一定の数値を超えた場合、母機の信号発信受信装置が信号を発生させてマイクロプロセッサに送り、マイクロプロセッサの処理を経て、ＩＣを介してブルートゥースイヤホンによって使用者に告知するか、ブザーや振動が発せられるかして警告を発することで、使用者に注意を促して、子供が迷子になったり、誘拐されたりするのを回避する。
【００１５】
（３）緊急時に助けを呼ぶ機能を有する。図６のフローチャートを参照しながら説明する。これは主に本考案の安全防護装置に付設された緊急ボタンを利用して、使用者が緊急事態に遭遇した際に、安全防護装置の電源スイッチがＯＮになった状態で、直接緊急ボタンを押すことで、信号発信受信装置を介して、メッセージが連結した１１０か１１９等の警察網等から組織される公共安全システムに送られて、関連機関に助けを求めることができる。
【００１６】
（４）ＧＰＳ機能を有する。図７のフローチャートを参照しながら説明する。これは主に安全防護装置の電源がＯＮになった状態で、その内部に設置されたＧＰＳシステムを利用して、信号発信受信装置を介して信号が発信されて、衛星測定システムを通して、使用者の所在位置が確認できる。したがって、迷子になった子供を探したり、緊急時に救援したりする際に、迅速に使用者の所在地点に到着できるため、時間のロスによる事件の発生が回避される。
【００１７】
このように、本考案の携帯用安全防護装置裝置は、その内部回路により、深夜帰宅する際の周辺環境の測定、子供の迷子や誘拐の回避、緊急時の救援、ＧＰＳ等に運用される多機能を有し、使用者が様々な状況下において、必要な安全防護を行う完全な機能及び統合性を備え、真の意味での全方位的な「守護者」としての完全な機能を有し、優れた実用性を有する。
【００１８】
（他の実施形態）
図８から図１０に示したのは、本考案の携帯用安全防護装置の他の実施形態である。このうち、大部分の構造は上述の一実施形態の構造と同様である。このうち、本実施形態は、スライド式の使用方式であり、それは、第一カバー５０、第二カバー５１、プリント基板６０、ブザー７０、バイブレーター７１及び電源供給セット８０を備える。プリント基板６０はマイクロプロセッサ（図示はされない）、物体距離測定マジックアイ６１及びＩＣ（図示はされない）を備える。電源供給セット８０は、プリント基板６０が必要とする電力を供給する。さらに、電源供給セット８０には電気的に接続される電源スイッチ８１が設置される。電源スイッチ８１は電源供給セット８０の開閉を行う。電源スイッチ８１の表面は、第一カバー５０に露出する。記電源供給セット８０は小型リチウム電池８２であり、充電ソケット８３を有する。プリント基板６０及び電源供給セット８０は第一カバー５０と第二カバー５１内に設置される。第二カバー５１は、第一カバー５０にスライド形式で設置される。第二カバー５１は第一カバー５０の一側面に向かって、ストッパー５２が固定されて、第一カバー５０が第二カバー５１に対してスライド移動する際、ストッパー５２が第一カバー５０が滑り出すのを阻止する。プリント基板６０は距離測定設定スイッチ６２を有し、距離測定設定スイッチ６２は、物体距離測定マジックアイ６１の測定距離を設定する。第二カバー５１は、第一カバー５０の他側面に固定板５３が設置される。ブザー７０は固定板５３と第二カバー５１の間に設置されることで、第二カバー５１が第一カバー５０からスライドして、ブザー７０の開閉を制御する。
【００１９】
本考案の使用方式は、使用者の必要に応じて、異なる設置及び操作方式を提供する。例えば、電源スイッチ８１をＯＮにするには3秒間押し続けることでこれを行い、同時に、バイブレーター７１が1度振動することで、使用者に装置がＯＮになったことを告知する。さらに、環境(室内/室外)に応じて、距離測定設定スイッチ６２によって短距離または長距離の測定環境を選択し、最後に、測定可能な図１１に示したような身體後方の位置に取り付ける。物体距離測定マジックアイ６１が使用者後方の環境を測定し始め、疑わしい人物が測定範囲内に進入すると、物体距離測定マジックアイ６１が感知して、マイクロプロセッサにメッセージを送ることで、ＩＣがバイブレーター７１を駆動させる。バイブレーター７１は、距離の遠近に応じて異なる周波数の振動を発生させる。使用者に接近するばするほど振動の周波数が速くなって、使用者に相手との距離の遠近を知らせる。疑わしい人物がまだ接近していないうちに、先に防備でき、充分な反応時間を提供する。仮に異常状況が発生したり、危険に遭遇したりした場合は、ただ第一カバー５０を第二カバー５１に向かって押すと、ただちにブザー７０が触発し、大きな音を発して、疑わしい人物を驚かせることで、危険から逃れる機会を大きくして、深夜に帰宅する使用者の安全性を高める。 
【００２０】
このように、本考案の携帯用安全防護装置は、携帯が可能で、周辺環境を測定して、安全、緊急時の救援、ＧＰＳ機能を有する多機能な安全防護が達成できることで人身の安全を保護して、全体的に優れた実用性を有する。
【符号の説明】
【００２１】
１、６０：プリント基板、２、５０：第一カバー、３、５１：第二カバー、４：子機、５：信号発信受信装置、１０：マイクロプロセッサ、１１、６１：物体距離測定マジックアイ、１２：信号発信受信装置、１３：ＩＣ、１４：ブルートゥースイヤホン、１５、７０：ブザー、１６、７１：バイブレーター、２０、８０：電源供給セット、２１、８１：電源スイッチ、３０：緊急ボタン、４０：ＧＰＳ、５２：ストッパー、５３：固定板、６２：距離測定設定スイッチ、８２：小型リチウム電池、８３：充電ソケット
【図１】
0003155439.tif 000003
【図２】
0003155439.tif 000004
【図３】
0003155439.tif 000005
【図４】
0003155439.tif 000006
【図５】
0003155439.tif 000007
【図６】
0003155439.tif 000008
【図７】
0003155439.tif 000009
【図８】
0003155439.tif 000010
【図９】
0003155439.tif 000011
【図１０】
0003155439.tif 000012
【図１１】
0003155439.tif 000013
【手続補正書】
【提出日】平成21年9月3日(2009.9.3)
【手続補正１】
【補正対象書類名】実用新案登録請求の範囲
【補正対象項目名】請求項１
【補正方法】変更
【補正の内容】
【請求項１】
第一カバーと、
前記第一カバーと互いに蓋をし合うように固定され、その内部に収納空間を形成する第二カバーと、
前記収納空間に収納され、前記第一カバーと前記第二カバー内の収納空間に設置されるプリント基板と、
前記プリント基板が必要とする電力を供給する電源供給セットであって、前記電源供給セットの開閉を行う電源スイッチを有する電源供給セットと、を備え、
前記プリント基板は、マイクロプロセッサ、信号を発生させて前記マイクロプロセッサに送って処理する物体距離測定装置、前記マイクロプロセッサの信号を受信するＩＣ、前記ＩＣの制御により警告音を発するブザー、及び、前記ＩＣの制御により警告振動を発するバイブレーターを有することを特徴する携帯用安全防護装置。
【手続補正２】
【補正対象書類名】実用新案登録請求の範囲
【補正対象項目名】請求項２
【補正方法】変更
【補正の内容】
【請求項２】
さらに、ブルートゥースイヤホン及び子機を備え、前記子機は信号発信受信装置を有し、前記物体距離測定装置が信号を前記信号発信受信装置に転送することで、前記信号発信受信装置が前記物体距離測定装置の信号を受信し、前記マイクロプロセッサに転送して処理することで、前記ブザー及び前記バイブレーターを制御して音と振動を出して使用者に警告をすることを特徴とする請求項１に記載の携帯用安全防護装置。
【手続補正３】
【補正対象書類名】明細書
【補正対象項目名】０００５
【補正方法】変更
【補正の内容】
【０００５】
上記課題を解決するために、本考案は、防護安全効果を高め、使用上の便利さを向上させて、人身の安全防護効果を高めた安全防護装置を提供することを目的とする。
上記目的を達成するために、本考案の安全防護装置は、第一カバー及び第二カバーを備え、第二カバーと第一カバーは互いに蓋をするように固定される。さらに、その内側には収納空間が形成されて、収納空間内には、プリント基板が設置される。プリント基板は、マイクロプロセッサ、物体距離測定装置、ＩＣを備える。さらに、物体距離測定装置としての物体距離測定マジックアイ（登録商標）は信号を発生させて、マイクロプロセッサに送る。ＩＣはマイクロプロセッサの信号を受信する。また、ブザー及びバイブレーターが設置される。ブザー及びバイブレーターはプリント基板に設置される。さらに、ＩＣの制御により音声及び振動が発生されて警告がなされる。また、電源供給セットが設置され、電源供給セットはプリント基板が必要な電力を提供する。電源供給セットは電気的に接続される電源スイッチが設置され、電源スイッチは電源供給セットのＯＮまたはＯＦＦをコントロールする。
【手続補正４】
【補正対象書類名】図面
【補正対象項目名】図１
【補正方法】変更
【補正の内容】
【図１】
0003155439.tif 000014
【手続補正５】
【補正対象書類名】図面
【補正対象項目名】図４
【補正方法】変更
【補正の内容】
【図４】
0003155439.tif 000015
【手続補正６】
【補正対象書類名】図面
【補正対象項目名】図５
【補正方法】変更
【補正の内容】
【図５】
0003155439.tif 000016